(57)【要約】【課題】　リサイクルを可能とするとともに焼却処理時に有害物質の発生のないＣＤレーベル用窓付封筒の提供を目的とする。【解決手段】　封筒本体２をクラフト紙にて形成するとともに窓部４を、前面板３に開口した丸窓６にグラシンフィルム１３を貼着して形成することによりＣＤレーベル用窓付封筒１を構成する。【選択図】　図１
2004035113.tif 000002
【特許請求の範囲】
【請求項１】
ＣＤを封入し得る封筒本体と、この封筒本体の前面側に封入したＣＤの表示面を透視する窓部を設けるとともに、
　前記封筒本体をリサイクル可能な紙素材にて形成し、
　かつ前記窓部を、前記封筒本体の前面側に開口した丸窓に、リサイクル可能な紙素材から成る透明又は半透明フィルムを貼着して構成したＣＤレーベル用窓付封筒において、
　前記封筒本体は、蓋片及び背面板との左右貼付片を備える前面板と、この前面板と一体に型抜きするとともに、前記前面板と背面板の型抜きと同時に、前面板に丸窓を型抜きし、かつ前記型抜き後の封筒本体用の型抜体の、前記丸窓に、リサイクル可能な紙素材から成る透明又は半透明フィルムを貼着した後、これを自動機により前記型抜体の、前記背面板を前面板の上側に重合しつつ折曲するとともに前面板の左右貼付片を貼着することにより構成したことを特徴とするＣＤレーベル用窓付封筒。
【請求項２】
ＣＤを封入し得る封筒本体と、この封筒本体の前面側に封入したＣＤの表示面を透視する窓部を設けるとともに、
　前記封筒本体をリサイクル可能な紙素材にて形成し、
　かつ前記窓部を、前記封筒本体の前面側に開口した丸窓に、リサイクル可能な紙素材から成る透明又は半透明フィルムを貼着して製造するＣＤレーベル用窓付封筒の製造方法において、
　前記封筒本体は、蓋片及び背面板との左右貼付片を備える前面板と、この前面板と一体に型抜きするとともに、前記前面板と背面板の型抜きと同時に、前面板に丸窓を型抜きし、かつ前記型抜き後の封筒本体用の型抜体の、前記丸窓に、リサイクル可能な紙素材から成る透明又は半透明フィルムを貼着した後、これを自動機により前記型抜体の、前記背面板を前面板の上側に重合しつつ折曲するとともに前面板の左右貼付片を貼着することにより製造するＣＤレーベル用窓付封筒の製造方法。
【発明の詳細な説明】
【技術分野】
【０００１】
　本発明は、ＣＤの包装に用いるＣＤレーベル用窓付封筒とその製造方法に関するものである。
【背景技術】
【０００２】
　従来のＣＤレーベル用窓付封筒については封筒本体の形成に合成樹脂シートが使用されると共にＣＤの表示面を透視する窓部にセロハン、その他の透明又は半透明の合成樹脂シート（フィルム）が貼着されることにより構成されている。
【０００３】
　又、前記封筒本体が紙素材にて形成されている場合にも、窓部には、前記セロハンあるいはその他の透明又は半透明の合成樹脂シート（フィルム）が使用されている。
【０００４】
　さらに、窓付封筒の従来技術としては、図４に示す如く、封筒の前面を構成する表片３１，この表片３１の両側に連設した一対の側片３２及び裏片３３，表片３１の下端に連接した底片３４，さらに表片３１の上端に連接した蓋片３５を備える封筒基材３０をプレスにて打ち抜いて形成する。
　又、前記表片３１の中央には、矩形の窓孔３５，３６を開設してある。
【０００５】
　そして、前記封筒基材３０を自動機にて封筒（図示せず）を形成するとともに、前記窓孔３５，３６を薄肉透明の合成樹脂シート３７，３８を貼着することにより窓付封筒を形成したものである。（特許文献１参照）
【特許文献１】特許第２８９５８１９号公報
【発明の開示】
【発明が解決しようとする課題】
【０００６】
　従来のＣＤレーベル用窓付封筒は、封筒本体並びに窓部に貼着する透明又は半透明のシートが、いずれも合成樹脂シートであったり、封筒本体が紙素材から成るものであっても窓部の透明、半透明のシートがセロハン、その他の合成樹脂シートから成るものであるために、これをそのままリサイクルすることが不可能であるとともに、これを焼却処理する場合にはＮＯＸ、ダイオキシン等の有害物質の発生を阻止することができず、環境を汚損する欠点を有するものであった。
【０００７】
　又、前記特許第２８９５８１９号公報記載の窓付封筒の場合にも、封筒基材３０が厚手の用紙を使用するも、窓孔３５，３６は合成樹脂シート３７，３８を貼着して形成するもので、前記したようにそのままリサイクルすることが不可能であるとともに焼却処理時には前記と同様に、有害物質の発生を阻止できず、環境を汚損する欠点を有するものである。
【０００８】
　因て、本発明は、前記従来の窓付封筒の欠点を除去し、そのままの状態にてリサイクルが可能であるとともに焼却処理に際しても、有害物質の発生なく処理することのできる、ＣＤレーベル用窓付封筒とその製造方法の提供を目的とするものである。
【課題を解決するための手段】
【０００９】
　本発明は、前記目的を達成するため、請求項１の発明は、ＣＤを封入し得る封筒本体と、この封筒本体の前面側に封入したＣＤの表示面を透視する窓部を設けるとともに、前記封筒本体をリサイクル可能な紙素材にて形成し、かつ前記窓部を、前記封筒本体の前面側に開口した丸窓に、リサイクル可能な紙素材から成る透明又は半透明フィルムを貼着して構成したＣＤレーベル用窓付封筒において、前記封筒本体は、蓋片及び背面板との左右貼付片を備える前面板と、この前面板と一体に型抜きするとともに、前記前面板と背面板の型抜きと同時に、前面板に丸窓を型抜きし、かつ前記型抜き後の封筒本体用の型抜体の、前記丸窓に、リサイクル可能な紙素材から成る透明又は半透明フィルムを貼着した後、これを自動機により前記型抜体の、前記背面板を前面板の上側に重合しつつ折曲するとともに前面板の左右貼付片を貼着することにより構成したことを特徴とするＣＤレーベル用窓付封筒である。
【００１０】
　かかる請求項１の発明のＣＤレーベル用窓付封筒により、環境に優しい、リサイクル可能なＣＤレーベル用封筒を提供することができる。
【００１１】
　さらに、請求項２の発明は、ＣＤを封入し得る封筒本体と、この封筒本体の前面側に封入したＣＤの表示面を透視する窓部を設けるとともに、前記封筒本体をリサイクル可能な紙素材にて形成し、かつ前記窓部を、前記封筒本体の前面側に開口した丸窓に、リサイクル可能な紙素材から成る透明又は半透明フィルムを貼着して製造するＣＤレーベル用窓付封筒の製造方法において、前記封筒本体は、蓋片及び背面板との左右貼付片を備える前面板と、この前面板と一体に型抜きするとともに、前記前面板と背面板の型抜きと同時に、前面板に丸窓を型抜きし、かつ前記型抜き後の封筒本体用の型抜体の、前記丸窓に、リサイクル可能な紙素材から成る透明又は半透明フィルムを貼着した後、これを自動機により前記型抜体の、前記背面板を前面板の上側に重合しつつ折曲するとともに前面板の左右貼付片を貼着することにより製造するＣＤレーベル用窓付封筒の製造方法である。
【００１２】
　かかる請求項２の発明のＣＤレーベル用窓付封筒の製造方法によれば、プレス型抜き後の型抜体の丸窓にリサイクル可能な紙素材から成る透明又は半透明のフィルムを貼着した後に封筒の製造を行うことにより、型板体による窓付封筒の製造を型抜体の素材が薄肉の紙シートの場合でも、自動機による製造が可能で作業性並びに量産性を維持しつつ、請求項１の発明による目的を達成することができる。
【発明の効果】
【００１３】
　本発明のＣＤレーベル用窓付封筒によれば従来のＣＤレーベル用封筒としての効能をそのまま維持するとともにリサイクル不可能部分を除去する等の前処理なく、そのままリサイクルが可能であり、かつ焼却処理の際にも、ＮＯＸ、ダイオキシン等の有害物質の発生なく処理することが出来る。
【発明を実施するための最良の形態】
【００１４】
　本発明のＣＤレーベル用窓付封筒とその製造方法の実施の形態を図面とともに説明する。
【００１５】
　（実施の形態１）
　図１及び図２は、本発明のＣＤレーベル用窓付封筒の実施の形態１を示す、正面図及び背面図である。
【００１６】
　図１および図２において、１はＣＤレーベル用窓付封筒を示し、この窓付封筒１は、封筒本体２の前面板３に窓部４を備えるとともに前面板３の上端には、蓋片５を連設することにより構成されている。
【００１７】
　又、前記封筒本体２はリサイクル可能な紙素材により一体に形成されるとともに前記窓部４は、封筒本体２の前面板３に丸窓６を開口し、前面板２の裏側に透明又は半透明のリサイクル可能な紙素材から成るフィルム７を貼着することにより形成されている。
　尚、図２における８は、封筒本体２の背面板を示すものである。
【００１８】
　因て、以上の構成から成るＣＤレーベル用窓付封筒１は、ＣＤ（図示しない）を封筒本体２内に封入した後、蓋片５を背面板８側に折り曲げして封止することによりＣＤレーベル用封筒として使用するものである。又、封筒１内のＣＤの表示部分は窓部４を介して透視しつつ確認することができる。
【００１９】
　そして、使用済の封筒１については、封筒本体１および窓部４のフィルム７が、いずれもリサイクル可能な紙素材にて形成されているので、リサイクル不可能な部分を除去する等の前処理作業をする必要なく、そのままリサイクルすることが可能であるとともに焼却処理する場合にも、ＮＯＸ、ダイオキシン等の有害物質の発生なく処理することができるものである。
【００２０】
　（実施の形態２）
　図３は、本発明のＣＤレーベル用窓付封筒の実施の形態２を示すもので、特に図１および図２に示す封筒本体１をプレスによる打ち抜き方法とこれを自動機にて製造する場合を示すものである。
【００２１】
　図３は、封筒本体１の型抜体の平面図を示すものである。
　しかして、図３において、１０は封筒本体２の構成に必要な前面板３，背面板８および前面板３の左右両側に左右一対の背面板８との貼付片１１，１２、さらには、窓部４の丸窓６を備える型抜体を示すものである。
【００２２】
　そして、当該型抜体１０は、クラフト紙（再生晒クラフト１０８Ｋ）をプレスにて型抜きすることにより形成することができる。
【００２３】
　又、図３の型抜き体１０を打ち抜き後、図３の点線で示す位置に、グラシン（２０ｇ／ｍ２）のフィルム１３を貼着する。
【００２４】
　フィルム１３を型抜体１０の前面板３の裏側に貼着することによって、型抜体１０に、その後の自動機による封筒本体２の製造に耐え得る強度を付与することができる。
【００２５】
　すなわち、型抜体１０の前面板３に丸窓６を打ち抜いた状態であると、その打ち抜き部分が大きく、型抜体１０を製造ラインに流した場合、製造に必要な状態にて搬送することが不可能で、適確な折り込み、貼着等の作業が出来ず、不良品の発生する原因ともなる。
【００２６】
　従って、丸窓６部分にグラシンフィルム１３を貼着することにより、型抜体１０自体に強度が増し、封筒本体２の自動機による製造を可能ならしめることが出来る。
【００２７】
　そこで、図３の型抜体１０に、前記グラシンフィルム１３の貼着作業を行った後、これを自動機により、貼付片１１，１２を折り込み線１４，１５により内側に折り込むとともに背面板８を折り込み線１６により内側に折り込みつつ、これを前記貼着片１１，１２に貼着することにより、封筒本体２を製造することができ、同時に、図１，２に示す、ＣＤレーベル用窓付封筒１を製造することができる。
【００２８】
　尚、前記封筒本体１およびグラシンフィルム１３の貼着作業は、自動機による自動作業に換えては、手作業にて製造することも勿論可能である。
【００２９】
　こうして製造したＣＤレーベル用窓付封筒１についても、図１，２の場合と同様に使用することができるとともに、封筒本体２の素材はクラフト紙であるとともに窓部４のグラシンフィルム１３も紙素材であり、リサイクル可能であり、かつ焼却時の有害物質の発生もない。
【００３０】
　又、グラシンフィルム１３自体、厚さ０．０２５ｍｍのフィルムで、強度は、引っ張り強度３．４０ｋｇｆ（縦）、１．５８ｋｇｆ（横）、引き裂き強度８．０ｇｆ（縦）、９．５ｇｆ（横）と十分な強度を有するとともに白色度７５．３％、透明度７６．９％を備え、窓部４におけるＣＤ表示面に対する透視性も全く問題のないものである。
【図面の簡単な説明】
【００３１】
【図１】本発明の実施の形態１のＣＤレーベル用窓付封筒を示す正面図である。
【図２】本発明の実施の形態１のＣＤレーベル用窓付封筒を示す背面図である。
【図３】本発明の実施の形態２の型抜体を示す平面図である。
【図４】従来の窓付封筒を示す展開平面図である。
【符号の説明】
【００３２】
　１　ＣＤレーベル用窓付封筒
　２　封筒本体
　３　前面板
　４　窓部
　５　蓋片
　６　窓部
　７　フィルム
　８　背面板
　１０　型抜体
　１１，１２　貼付片
　１３　グラシンフィルム
　１４，１５，１６　折り込み線
【図１】
2004035113.tif 000003
【図２】
2004035113.tif 000004
【図３】
2004035113.tif 000005
【図４】
2004035113.tif 000006